(57)【特許請求の範囲】
【請求項１】
無段変速機構とクラッチとがトルクの伝達方向で互いに直列に連結されるとともに、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置において、
係合状態の前記クラッチの係合圧を、前記クラッチの滑りが生じるまで低下させる係合圧低下手段と、
前記クラッチの滑りが検出された後に前記係合圧を昇圧して前記クラッチを再係合させる再係合手段と、
前記クラッチが再係合した際の係合圧に、前記クラッチの伝達トルクに前記余裕を与える所定値を加えた圧力を、前記クラッチの係合圧として設定する係合圧設定手段と
を備えていることを特徴とする無段変速機構を含む駆動系統の制御装置。
【請求項２】
前記係合圧低下手段は、係合圧の低下率が異なりかつ係合圧が低下するほど前記低下率が小さくなる複数の段階を経て前記係合圧を低下させるように構成されていることを特徴とする請求項１に記載の無段変速機構を含む駆動系統の制御装置。
【請求項３】
前記係合圧低下手段は、係合状態の前記クラッチの係合圧を、前記クラッチの滑りが生じるまで低下させる制御を開始する条件が成立した場合に最初に設定する係合圧として、前記無段変速機構の伝達トルクを設定する挟圧力に基づいて求められた無段変速機構の入力トルクに基づき、かつ前記クラッチの特性のバラツキを考慮しても前記クラッチに滑りが生じない係合圧を設定するように構成されていることを特徴とする請求項２に記載の無段変速機構を含む駆動系統の制御装置。
【請求項４】
前記係合圧低下手段は、前記クラッチに滑りが生じるように係合圧を次第に低下させる前記低下率を最も小さい低下率とする最終段階の開始前に設定する係合圧として、前記クラッチに実際に入力されるトルクを伝達するのに必要な係合圧を該係合圧低下手段による低下制御をおこなわない通常の係合制御時の係合圧に基づいて補正して得られる圧力を設定するように構成されていることを特徴とする請求項２に記載の無段変速機構を含む駆動系統の制御装置。
【請求項５】
前記係合圧設定手段は、前記クラッチが再係合した際の係合圧を前記クラッチの伝達トルクに余裕がない係合圧とし、かつ該係合圧に前記伝達トルクに所定の余裕を与える前記所定値を加えた圧力をクラッチの係合圧とするように構成されていることを特徴とする請求項１に記載の無段変速機構を含む駆動系統の制御装置。
【請求項６】
前記クラッチの伝達トルクの余裕がゼロの状態の前記クラッチの係合圧を与える学習値を学習する学習手段を更に備えていることを特徴とする請求項１に記載の無段変速機構を含む駆動系統の制御装置。
【請求項７】
前記クラッチの係合圧を、前記学習手段で得られた学習値に基づく係合圧に低下させる際に、なまし制御を施して前記係合圧を低下させる手段を更に備えていることを特徴とする請求項６に記載の無段変速機構を含む駆動系統の制御装置。
【請求項８】
前記学習手段が運転状態毎に前記係合圧についての前記学習値を学習するように構成され、かつ
係合圧の学習の完了している運転状態と係合圧の学習が終了していない運転状態との間で運転状態が変化した場合に、その時点の係合圧の制御状態に応じて次におこなう係合圧の制御内容を決定する手段を更に備えていることを特徴とする請求項６に記載の無段変速機構を含む駆動系統の制御装置。
【請求項９】
前記再係合手段は、前記係合圧低下手段によって前記クラッチの係合圧を低下させている状態もしくは前記クラッチを再係合させた係合圧に維持している状態で前記クラッチの滑りが検出された場合に、前記クラッチを再係合させる係合圧に昇圧するよう構成され、また前記学習手段による係合圧についての前記学習値の学習を禁止する手段を備えていることを特徴とする請求項６に記載の無段変速機構を含む駆動系統の制御装置。
【発明の詳細な説明】
【０００１】
【発明の属する技術分野】
この発明は、ベルトやパワーローラなどのトルクの伝達を媒介するトルク伝達部材を、プーリーやディスクなどの回転部材に直接もしくは間接的に接触させ、接触圧力に応じてトルク容量が変化する無段変速機構を含む駆動系統の制御装置に関し、特に無段変速機構に対して直列に配列されたクラッチの係合圧を制御するための制御装置に関するものである。
【０００２】
【従来の技術】
無段変速機構は、ベルトやパワーローラなどのトルクの伝達を媒介する部材とプーリーやディスクとの接触位置あるいはトルク伝達位置を連続的に変化させて、変速比を無段階に変更するように構成されている。そのトルクの伝達は、摩擦力あるいはトラクションオイルのせん断力を利用しておこなわれる。したがって、トルクを伝達する部材とプーリーあるいはディスクとの接触圧あるいはトルクを伝達する部材を挟み付ける圧力（すなわち挟圧力）と、摩擦係数あるいはトラクションオイルのせん断力とに基づいて定まるトルク容量を超えてトルクが作用すると、ベルトやパワーローラの滑りが生じる。
【０００３】
ベルトやパワーローラの滑りが過剰に生じると、プーリーやディスクに摩耗が生じ、その結果、その摩耗部分でのトルクの伝達ができなくなって無段変速機構としての機能を果たさなくなる。そのため、無段変速機構を搭載した車両の走行中に無段変速機構での滑りが生じないようにするためには、挟圧力を高くしてトルク容量を大きくしておくことが考えられる。
【０００４】
しかしながら、挟圧力を高くすると、無段変速機構での動力の伝達効率が低下し、また油圧を発生させるオイルポンプを駆動するために多くの動力を消費することになるので、車両の燃費が悪化する。したがって、無段変速機構の挟圧力は滑りが生じない範囲で可及的に低くすることが好ましい。
【０００５】
その場合、エンジンの出力トルクや車輪側の負トルクが頻繁にあるいは大きく変化する非定常的な走行状態であれば、無段変速機構に作用するトルクが予測できないので、安全率あるいはトルク容量の余裕代（定常状態で滑りの生じない最小もしくは限界のトルク容量に対するトルク容量の超過量）を大きくしてある程度高い挟圧力に設定せざるを得ない。これに対して定常的あるいは準定常的な走行状態であれば、無段変速機構に作用するトルクが安定するので、滑りが生じる直前の状態まで、挟圧力を下げることができる。
【０００６】
しかしながら、定常的あるいは準定常的な走行状態であっても不測のトルクが生じることがあるので、たとえその場合であっても無段変速機構の滑りを防止もしくは回避する必要がある。そのため、例えば特開平１０−２９３０号公報に記載された発明では、無段変速機構と直列にクラッチを配置し、そのクラッチの係合力の余裕を無段変速機構における挟圧力の余裕より小さく設定しておき、クラッチの滑りが検出されない場合には、その係合力および挟圧力を低下させ、また反対にクラッチの滑りが検出された場合には、その係合力および挟圧力を共に増大制御するように構成している。ここで、係合圧あるいは挟圧力の余裕とは、定常状態で滑りを生じさせることにない最小もしくは限界の係合圧あるいは挟圧力に対する超過分である。
【０００７】
これは、クラッチおよび無段変速機構を直列に配列した駆動系統に作用するトルクが増大した場合に、クラッチを優先的に滑らせて無段変速機構に作用するトルクを制限し、その結果、無段変速機構の滑りを未然に回避する制御である。
【０００８】
【発明が解決しようとする課題】
しかしながら、上記の公報に記載された発明では、クラッチの滑りが検出されない場合には、クラッチの係合力と無段変速機構の挟圧力とを低下させ、その結果、クラッチの滑りが検出されるとクラッチの係合力と無段変速機構の挟圧力とを増大させるから、これら係合力および挟圧力の低下と増大とを繰り返しおこなうことになり、それに伴ってクラッチの滑りが繰り返し生じることになる。そのため、上記従来の制御装置では、駆動系統での動力の伝達効率が低下し、燃費が悪化し、あるいは無段変速機構を採用することによる燃費の向上効果が損なわれる可能性がある。
【０００９】
また、クラッチの係合力の制御には、油圧制御機器の特性やクラッチの摩擦係数の個体差などが原因で、不可避的なバラツキがあるが、上記の公報に記載された従来の装置では、クラッチの滑り検出後に係合圧および挟圧力を増大させる際に、この種のバラツキを考慮していないので、クラッチの係合圧が相対的に過大となる可能性がある。そのような場合には、クラッチの係合圧の余裕が無段変速機構の挟圧力の余裕と同等になったり、あるいは超えてしまったりし、それに伴って無段変速機構に滑りが生じる可能性がある。
【００１０】
この発明は、上記の技術的課題に着目してなされたものであり、無段変速機構に対して直列に配列されたクラッチの伝達トルクの余裕を、無段変速機構での伝達トルクの余裕に対して相対的に小さい状態に安定的に設定することのできる制御装置を提供することを目的とするものである。
【００１１】
【課題を解決するための手段およびその作用】
上記の目的を達成するために、この発明は、クラッチに対して負荷されるトルクに対して伝達トルク（トルク容量）の余裕のないクラッチの係合圧を求め、その係合圧に伝達トルクの所定の余裕に相当する値を加えた圧力を、クラッチの係合圧として設定するように構成したことを特徴とするものである。より具体的には、請求項１の発明は、無段変速機構とクラッチとがトルクの伝達方向で互いに直列に連結されるとともに、前記クラッチで滑りが生じるまでの前記クラッチの伝達トルクの余裕を、前記無段変速機構で滑りが生じるまでの前記無段変速機構の伝達トルクの余裕より小さく設定する無段変速機構を含む駆動系統の制御装置において、係合状態の前記クラッチの係合圧を、前記クラッチの滑りが生じるまで低下させる係合圧低下手段と、前記クラッチの滑りが検出された後に前記係合圧を昇圧して前記クラッチを再係合させる再係合手段と、前記クラッチが再係合した際の係合圧に前記クラッチの伝達トルクに前記余裕を与える所定値を加えた圧力を、前記クラッチの係合圧として設定する係合圧設定手段とを備えていることを特徴とする制御装置である。
【００１２】
この請求項１の発明において、伝達トルクの余裕とは、定常状態で滑りの生じない最小の伝達トルクに対する伝達トルクの超過量であり、また「前記クラッチで滑りが生じるまでの前記クラッチの伝達トルクの余裕を、前記無段変速機構で滑りが生じるまでの前記無段変速機構の伝達トルクの余裕より小さく設定する」とは、駆動系統に所定のトルクが作用した場合に無段変速機構よりも先にクラッチが滑るように各々の伝達トルクを設定することである。したがって請求項１の発明では、係合状態のクラッチの係合圧が低下させられ、その滑りが検出されると、クラッチを再係合させるように係合圧が昇圧される。そして、クラッチが再係合すると、その時点の係合圧に、伝達トルクの所定の余裕に相当する所定値が加えられ、その圧力をもってクラッチの係合圧が設定される。そのため、伝達トルクに所定の余裕を持たせてクラッチの滑りが生じない状態が設定されると、その後に係合圧が低下させられることがない。その結果、クラッチの滑りを繰り返し生じさせることはない。
【００１３】
また、請求項２の発明は、請求項１における前記係合圧低下手段が、係合圧の低下率が異なりかつ係合圧が低下するほど前記低下率が小さくなる複数の段階を経て前記係合圧を低下させるように構成されていることを特徴とする制御装置である。
【００１４】
したがって請求項２の発明では、係合状態にあるクラッチの係合圧を低下させる場合、低下開始時の低下率に対して、それ以降における係合圧の低下率が大きくなる。そのため、クラッチに滑りを生じさせる係合圧の低下制御の応答性が良好になり、また係合圧低下のいわゆるアンダーシュートを回避してクラッチが過剰に滑ることが防止され、さらにクラッチのいわゆる解放ショックが防止もしくは抑制される。
【００１５】
さらに、請求項３の発明は、請求項２の発明における前記係合圧低下手段が、係合状態の前記クラッチの係合圧を、前記クラッチの滑りが生じるまで低下させる制御を開始する条件が成立した場合に最初に設定する係合圧として、前記無段変速機構の伝達トルクを設定する挟圧力に基づいて求められた無段変速機構の入力トルクに基づき、かつ前記クラッチの特性のバラツキを考慮しても前記クラッチに滑りが生じない係合圧を設定するように構成されていることを特徴とする制御装置である。
【００１６】
したがって請求項３の発明では、クラッチに滑りが生じるようにその係合圧を低下させる過程で設定される係合圧が、無段変速機構の入力トルクに基づいた係合圧となる。そのため、無段変速機構の伝達トルクを定める挟圧力が何らかの理由で高くなっている場合、それに応じてクラッチの係合圧が高く設定され、その結果、係合圧を低下させる過程でクラッチに滑りを生じさせずに、所期の係合圧の低下制御を迅速に進行させることができる。
【００１７】
またさらに、請求項４の発明は、請求項２の発明おいて、前記係合圧低下手段が、前記クラッチに滑りが生じるように係合圧を次第に低下させる前記低下率を最も小さい低下率とする最終段階の開始前に設定する係合圧として、前記クラッチに実際に入力されるトルクを伝達するのに必要な係合圧を該係合圧低下手段による低下制御をおこなわない通常の係合制御時の係合圧に基づいて補正した圧力を設定するように構成されていることを特徴とする制御装置である。
【００１８】
したがって請求項４の発明では、クラッチに滑りを生じさせるように係合圧を低下させる過程で、クラッチの滑りに到る最終段階の低下制御の直前に設定される係合圧が、クラッチの低下制御を伴わない通常の係合制御の際の係合圧に基づいて補正される。そのため、その係合圧を実際に必要とするクラッチの係合圧に近づけることができ、その結果、クラッチを滑らせない範囲で迅速に係合圧を低下させることができる。
【００１９】
そして、請求項５の発明は、請求項１の発明における前記係合圧設定手段が、前記クラッチが再係合した際の係合圧を前記クラッチの伝達トルクに余裕がない係合圧とし、かつ該係合圧に前記伝達トルクに所定の余裕を与える前記所定値を加えた圧力をクラッチの係合圧とするように構成されていることを特徴とする制御装置である。
【００２０】
したがって請求項５の発明では、クラッチの伝達トルクに余裕がない係合圧が明確にされた後、その係合圧に余裕分の所定値を加えた係合圧でクラッチが係合させられる。そのため、クラッチの伝達トルクにおける余裕代が適正化される。
【００２１】
また、請求項６の発明は、請求項１の発明において、前記クラッチの伝達トルクの余裕がゼロの状態の前記クラッチの係合圧を与える学習値を学習する学習手段を更に備えていることを特徴とする制御装置である。
【００２２】
したがって請求項６の発明では、クラッチの伝達トルクの余裕がゼロの状態を与える学習値が学習に基づいて求められる。そのため、クラッチの係合圧は、クラッチの個体差や経時変化などの実際の状態を反映したものとなり、それに伴ってクラッチの伝達トルクの余裕代が適正化される。
【００２３】
さらにまた、請求項７の発明は、請求項６の発明において、前記クラッチの係合圧を、前記学習手段で得られた学習値に基づく係合圧に低下させる際に、なまし制御を施して前記係合圧を低下させる手段を更に備えていることを特徴とする制御装置である。
【００２４】
したがって請求項７の発明では、低下させて設定するべきクラッチの係合圧が学習値として知られており、係合状態のクラッチの係合圧をその学習により得られた学習値に基づく値に低下させる場合、急激に低下させずになまし処理された制御により緩やかに低下させられる。その結果、係合圧のアンダーシュートやそれに起因するクラッチの解放などの事態が回避される。
【００２５】
そしてさらに、請求項８の発明は、請求項６の発明において、前記学習手段が運転状態毎に前記係合圧についての前記学習値を学習するように構成され、かつ係合圧の学習の完了している運転状態と係合圧の学習が終了していない運転状態との間で運転状態が変化した場合に、その時点の係合圧の制御状態に応じて次におこなう係合圧の制御内容を決定する手段を更に備えていることを特徴とする制御装置である。
【００２６】
したがって請求項８の発明では、係合状態のクラッチの係合圧を低下させて滑りを生じさせる過程、滑りの生じたクラッチの係合圧を昇圧する過程、クラッチを再係合させた状態などにおいて、駆動系統の運転状態が学習値の得られている状態と得られていない状態との間で変化した場合、その時点の係合圧の制御状態に基づいて次の制御内容が決定される。そのため、学習値の得られている運転状態に変化した場合には、その学習値を利用した係合圧の制御が可能になり、無駄な制御が省略される。また反対に学習値が得られていない運転状態に変化した場合には、学習値を得ることができる。
【００２７】
そして、請求項９の発明は、請求項６の発明における前記再係合手段が、前記係合圧低下手段によって前記クラッチの係合圧を低下させている状態もしくは前記クラッチを再係合させた係合圧に維持している状態で前記クラッチの滑りが検出された場合に、前記クラッチを再係合させる係合圧に昇圧するよう構成され、また前記学習手段による係合圧についての前記学習値の学習を禁止する手段を備えていることを特徴とする制御装置である。
【００２８】
したがって請求項９の発明では、クラッチの係合圧を、伝達トルクに所定の余裕がある係合圧に制御している過程でクラッチの滑りが生じた場合、クラッチを再係合させるように係合圧が昇圧され、かつ係合圧の学習が禁止される。そのため、クラッチの過剰な滑りが回避されると同時に、係合圧の誤学習が回避される。
【００２９】
【発明の実施の形態】
つぎにこの発明を具体例に基づいて説明する。先ず、この発明で対象とする無段変速機構を含む駆動系統について説明すると、この発明は、車両に搭載される駆動系統を対象とすることができ、その駆動系統に含まれる無段変速機構は、ベルトをトルク伝達部材としたベルト式の無段変速機構や、パワーローラをトルク伝達部材とするとともにオイル（トラクション油）のせん断力を利用してトルクを伝達するトロイダル型（トラクション式）無段変速機構である。図８には、ベルト式無段変速機構１を含む車両用駆動系統の一例を模式的に示しており、この無段変速機構１は、前後進切換機構２およびトルクコンバータ３を介して、動力源４に連結されている。
【００３０】
その動力源４は、一般の車両に搭載されている動力源と同様のものであって、ガソリンエンジンやディーゼルエンジンあるいは天然ガスエンジンなどの内燃機関や、電動機、あるいは内燃機関と電動機とを組み合わせた機構などを採用することができる。なお、以下の説明では、動力源４をエンジン４と記す。
【００３１】
エンジン４の出力軸に連結されたトルクコンバータ３は、従来一般の車両で採用しているトルクコンバータと同様の構造であって、エンジン４の出力軸が連結されたフロントカバー５にポンプインペラー６が一体化されており、そのポンプインペラー６に対向するタービンランナー７が、フロントカバー５の内面に隣接して配置されている。これらのポンプインペラー６とタービンランナー７とには、多数のブレード（図示せず）が設けられており、ポンプインペラー６が回転することによりフルードの螺旋流を生じさせ、その螺旋流をタービンランナー７に送ることによりタービンランナー７にトルクを与えて回転させるようになっている。
【００３２】
また、ポンプインペラー６とタービンランナー７との内周側の部分には、タービンランナー７から送り出されたフルードの流動方向を選択的に変化させてポンプインペラー６に流入させるステータ８が配置されている。このステータ８は、一方向クラッチ９を介して所定の固定部１０に連結されている。
【００３３】
このトルクコンバータ３は、この発明におけるクラッチに相当するロックアップクラッチ１１を備えている。ロックアップクラッチ１１は、ポンプインペラー６とタービンランナー７とステータ８とからなる実質的なトルクコンバータに対して並列に配置されたものであって、フロントカバー５の内面に対向した状態で前記タービンランナー７に保持されており、油圧によってフロントカバー５の内面に押し付けられることにより、入力部材であるフロントカバー５から出力部材であるタービンランナー７に直接、トルクを伝達するようになっている。なお、その油圧を制御することによりロックアップクラッチ１１のトルク容量を制御できる。
【００３４】
前後進切換機構２は、エンジン４の回転方向が一方向に限られていることに伴って採用されている機構であって、入力されたトルクをそのまま出力し、また反転して出力するように構成されている。図８に示す例では、前後進切換機構２としてダブルピニオン型の遊星歯車機構が採用されている。
【００３５】
すなわち、サンギヤ１２と同心円上にリングギヤ１３が配置され、これらのサンギヤ１２とリングギヤ１３との間に、サンギヤ１２に噛合したピニオンギヤ１４とそのピニオンギヤ１４およびリングギヤ１３に噛合した他のピニオンギヤ１５とが配置され、これらのピニオンギヤ１４，１５がキャリヤ１６によって自転かつ公転自在に保持されている。そして、二つの回転要素（具体的にはサンギヤ１２とキャリヤ１６と）を一体的に連結する前進用クラッチ１７が設けられ、またリングギヤ１３を選択的に固定することにより、出力されるトルクの方向を反転する後進用ブレーキ１８が設けられている。
【００３６】
無段変速機構１は、従来知られているベルト式無段変速機構と同じ構成であって、互いに平行に配置された駆動プーリー１９と従動プーリー２０とのそれぞれが、固定シーブと、油圧式のアクチュエータ２１，２２によって軸線方向に前後動させられる可動シーブとによって構成されている。したがって各プーリー１９，２０の溝幅が、可動シーブを軸線方向に移動させることにより変化し、それに伴って各プーリー１９，２０に巻掛けたベルト２３の巻掛け半径（プーリー１９，２０の有効径）が連続的に変化し、変速比が無段階に変化するようになっている。そして、上記の駆動プーリー１９が前後進切換機構２における出力要素であるキャリヤ１６に連結されている。
【００３７】
なお、従動プーリー２０における油圧アクチュエータ２２には、無段変速機構１に入力されるトルクに応じた油圧（ライン圧もしくはその補正圧）が、図示しない油圧ポンプおよび油圧制御装置を介して供給されている。したがって、従動プーリー２０における各シーブがベルト２３を挟み付けることにより、ベルト２３に張力が付与され、各プーリー１９，２０とベルト１５との挟圧力（接触圧力）が確保されるようになっている。言い換えれば、挟圧力に応じたトルク容量が設定される。これに対して駆動プーリー１９における油圧アクチュエータ２１には、設定するべき変速比に応じた圧油が供給され、目標とする変速比に応じた溝幅（有効径）に設定するようになっている。
【００３８】
無段変速機構１の出力部材である従動プーリー２０がギヤ対２４およびディファレンシャル２５に連結され、さらにそのディファレンシャル２５が左右の駆動輪２６に連結されている。
【００３９】
上記の無段変速機構１およびエンジン４を搭載した車両の動作状態（走行状態）を検出するために各種のセンサーが設けられている。すなわち、エンジン４の回転数（ロックアップクラッチ１１の入力回転数）を検出して信号を出力するエンジン回転数センサー２７、タービンランナー７の回転数（ロックアップクラッチ１１の出力回転数）を検出して信号を出力するタービン回転数センサー２８、駆動プーリー１９の回転数を検出して信号を出力する入力回転数センサー２９、従動プーリー２０の回転数を検出して信号を出力する出力回転数センサー３０などが設けられている。
【００４０】
上記の前進用クラッチ１７および後進用ブレーキ１８の係合・解放の制御、および前記ベルト２３の挟圧力の制御、ならびにロックアップクラッチ１１の係合・解放を含むトルク容量の制御、さらには変速比の制御をおこなうために、変速機用電子制御装置（ＣＶＴ−ＥＣＵ）３１が設けられている。この電子制御装置３１は、一例としてマイクロコンピュータを主体として構成され、入力されたデータおよび予め記憶しているデータに基づいて所定のプログラムに従って演算をおこない、前進や後進あるいはニュートラルなどの各種の状態、および要求される挟圧力の設定、ならびに変速比の設定などの制御を実行するように構成されている。また、エンジン４を制御するエンジン用電子制御装置（Ｅ−ＥＣＵ）３２が設けられ、これらの電子制御装置３１，３２の間で相互にデータを通信するようになっている。
【００４１】
つぎに上記の無段変速機構１を含む駆動系統を対象としてこの発明の制御装置で実行される制御例を説明する。図１ないし図６はその制御例を示すフローチャートであり、図７はその制御を実行した場合の回転数、ロックアップクラッチ１１の係合圧（油圧）、無段変速機構１における伝達トルクを決定するベルト挟圧力の変化を示すタイムチャートである。
【００４２】
この発明の制御装置は、無段変速機構と直列に配列されたクラッチの伝達トルク（トルク容量）の余裕を、無段変速機構の伝達トルク（トルク容量）の余裕より小さく設定する制御をおこなう制御装置である。その「余裕」とは、定常状態で滑りが生じない最小の伝達トルクを超える伝達トルクの幅もしくは差である。したがって、その余裕の範囲で正トルクもしくは負トルクが変化しても、上記のロックアップクラッチ１１や無段変速機構１に滑りが生じない。また、その余裕を超えて正トルクもしくは負トルクが変化した場合には、クラッチが無段変速機構よりも先に滑り、いわゆるトルクヒューズとして機能する。
【００４３】
この発明では、ロックアップクラッチ１１の伝達トルクに余裕を与えるようにその係合圧（油圧）を設定するにあたり、先ず、ロックアップクラッチ１１が安定的にオン制御されていることから制御を始める。これが、制御の前提条件であり、したがって図１に示すように、先ず、その制御前提条件の成立が判断される（ステップＳ１０１）。
【００４４】
ここで、安定的にオン制御されているとは、その時点の通常の走行状態で滑りを生じることなく係合状態を維持する係合圧が設定され、しかもその係合圧が過渡的な圧力でなく、安定して維持されている状態である。後述するように、係合状態から滑りが生じる直前の状態もしくは滑りの開始の係合圧にまで係合圧を低下させる制御をおこなうからである。
【００４５】
この制御前提条件が成立する状態は、図７のｔ1 時点以前の状態として示してある。すなわちエンジン回転数Ｎe およびタービン回転数Ｎt がほぼ一定に安定しており、またロックアップクラッチ（Ｌ／Ｕクラッチ）の油圧が滑りの生じない程度に高い圧力に一定しており、さらにベルト挟圧力がベルト滑りの生じない程度に高い圧力に一定している。これは、通常の走行状態での制御内容であり、図７には「phase0」として示してある。なお、この「phase 」とは実行するべき制御内容に付した記号であり、図１ないし図６のフローチャートでは制御ステップの行き先を示すようにも機能する。
【００４６】
上記のステップＳ１０１で肯定的に判断された場合には、制御開始条件が成立したか否かが判断される（ステップＳ１０２）。制御開始条件が成立したことが判断された場合、すなわちステップＳ１０２で肯定的に判断された場合には、「phase 」が“１”とされる（ステップＳ１０３）。なお、既に制御開始条件が成立している場合には、ステップＳ１０２で否定的に判断され、その場合はステップＳ１０３を飛ばしてステップＳ１０４に進む。
【００４７】
ロックアップクラッチ１１をいわゆるトルクヒューズとして作用させる制御は、エンジン４から入力される駆動トルク（あるいは正トルク）や駆動輪２６側から掛かる負トルクが安定している場合に可能であり、したがって定常状態を条件として制御をおこなう。これが制御開始条件である。その定常状態とは、アクセル開度（図示しないアクセルペダルの踏み込み量）や無段変速機構１の出力側のトルク（例えば従動プーリー２０の軸トルク）の所定時間内の変化が所定範囲内であることである。そして、その所定範囲は車速に応じた範囲とすることができる。
【００４８】
つぎに、ステップＳ１０４において制御終了条件が成立しているか否かが判断される。この制御終了条件は、上記の制御開始条件とされているいずれかの状態が成立しなくなることであり、例えば車両の走行状態が定常状態ではなくなったこと、あるいはロックアップクラッチ１１が係合状態ではなくなったことなどである。
【００４９】
制御終了条件が成立していないことによりステップＳ１０４で否定的に判断された場合には、「phase 」が“１”に設定されているか否かが判断される（ステップＳ１０５）。上記のように制御開始条件が成立した場合には「phase 」が“１”に設定されているので、このステップＳ１０５では肯定的に判断される。その結果、ロックアップクラッチ１１の係合圧（油圧）が第１の所定油圧PLU1に設定される（ステップＳ１０６）。これは、図７のｔ1 時点である。
【００５０】
この制御は、ロックアップクラッチ１１の滑りを発生させる制御の応答性を向上させるために、予め係合圧を下げる制御であり、係合圧の低下率を特には制約しないように、すなわち直ちに低下するように制御される。言い換えれば、係合圧の低下勾配が最も大きくなるように制御される。
【００５１】
そして、この第１所定油圧PLU1は、ロックアップクラッチ１１の特性のバラツキを考慮しても滑りの生じない程度の係合圧である。その圧力は、ロックアップクラッチ１１に対する入力トルクに基づいて求めた摩擦係数μや機構上の特性のバラツキを考慮して設定された油圧とすることができ、あるいは無段変速機構１における目標とする挟圧力から無段変速機構１の入力トルクを求め、その入力トルクに基づいて演算した油圧とすることができる。
【００５２】
ついで、所定時間が経過したか否かが判断される（ステップＳ１０７）。この所定時間は、係合圧を第１所定油圧PLU1に低下させる指令信号を出力してから係合圧が第１所定油圧PLU1に安定するまでに要する時間であり、予め定められた一定値もしくは車両の状態に応じて設定されたマップ値などである。図７では、ｔ1 時点からｔ2 時点までの時間である。
【００５３】
このステップＳ１０７で肯定的に判断された場合には、「phase1」の制御が終了したことになるので、「phase 」が“２”に設定される（ステップＳ１０８）。これは、図７のｔ2 時点である。そして、ロックアップクラッチ１１に滑りが生じたか否かが判断される（ステップＳ１０９）。なお、上記の所定時間が経過していないことによりステップＳ１０７で否定的に判断された場合には、ステップＳ１０８を飛ばしてステップＳ１０９に進む。
【００５４】
このステップＳ１０９は、ロックアップクラッチ１１の状態を確認することを目的として実行される。すなわちロックアップクラッチ１１の伝達トルクに所定の余裕を設定する制御の過程でロックアップクラッチ１１に意図しない（もしくは想定しない）滑りが生じると、その制御を正常に実行できなくなるからである。また、ロックアップクラッチ１１の滑りの検出もしくは判定は、ロックアップクラッチ１１の入力側の回転数（例えばエンジン回転数Ｎe ）と出力側の回転数（例えばタービン回転数Ｎt ）とを比較することによりおこなうことができる。より具体的には、これらの回転数の差が予め定めたしきい値より大きくなったことによって、ロックアップクラッチ１１に滑りが生じたことを検出することができる。
【００５５】
制御が想定したとおりに進行すれば、ロックアップクラッチ１１に滑りが生じないので、ステップＳ１０９で否定的に判断される。これに対して、何らかの理由でロックアップクラッチ１１に意図しない滑りが生じた場合には、ステップＳ１０９で肯定的に判断される。その場合、「phase 」が“４”に設定され、かつフラグＦ0 が“ＯＮ”に設定される（ステップＳ１１０）。その後、ステップＳ１１２に進む。なお、ロックアップクラッチ１１に滑りが生じないことによりステップＳ１０９で否定的に判断された場合には、ステップＳ１１０を飛ばしてステップＳ１１２に進む。
【００５６】
ステップＳ１１２では、「phase 」が“２”に設定されているか否かが判断される。上述したように、ロックアップクラッチ１１の係合圧を上記の第１所定油圧PLU1に低下させる制御が実行された場合には、「phase 」が“２”に設定されている。すなわち、上記の所定時間が経過したことにより、ステップＳ１０８で「phase 」が“２”に設定され、かつロックアップクラッチ１１に意図しない滑りが生じていないことにより、上記のステップＳ１１０を飛ばしてステップＳ１１２に進んでいるので、「phase 」が“２”に設定されている。したがって、ステップＳ１１２で肯定的に判断される。その場合には、ロックアップクラッチ１１の係合圧（油圧）が、第２所定油圧PLU2に向けて、所定の低下率（第１スイープ勾配）DLPLU1で低下させられる（ステップＳ１１３）。これは、図７のｔ2 時点からｔ3 時点までの制御である。
【００５７】
この第１スイープ勾配DLPLU1は、上記の第１所定油圧PLU1に低下させる場合の低下率より小さいものの、ロックアップクラッチ１１の係合圧をある程度、迅速に低下させるように設定された低下率である。すなわち、第１所定油圧PLU1に設定するのと同様に、ロックアップクラッチ１１の滑りが生じる係合圧まで急激に低下させると、アンダーシュートによってロックアップクラッチ１１が過剰に滑ってしまい、あるいはロックアップクラッチ１１が解放してしまう。これを避けるために安定的な係合状態から徐々に係合圧を下げたのでは、応答性が悪くなる。そこで、最初にステップ的に係合圧を下げ、次にある程度大きい勾配で係合圧を低下させることとしたのである。
【００５８】
ついで、係合圧が第２所定油圧PLU2に到達したか否かが判断される（ステップＳ１１４）。この判断は、予め定めた時間が経過したことによって判断することができ、あるいは図示しない油圧センサの検出値に基づいて判断することができる。
【００５９】
また、第２所定油圧PLU2は、ロックアップクラッチ１１の伝達トルクの余裕がゼロの係合圧に対して所定値αだけ高い油圧であり、ロックアップクラッチ１１に滑りが生じない圧力である。その一例を挙げれば、「phase0」の状態などの通常の走行時にロックアップクラッチ１１を解放状態（ＯＦＦ）から係合状態（ＯＮ）に切り替える際に設定される油圧である。
【００６０】
その油圧は、余裕伝達トルクに加えてエンジン４の慣性トルク分の油圧が加算されているので、その加算分を前記所定値αとすることができるからである。あるいは、第２所定油圧PLU2は、ロックアップクラッチ１１をＯＦＦ状態からＯＮ状態に切り替える際のロックアップ油圧とその時点の入力トルクに基づいて求まる必要係合油圧との差を、現時点の入力トルクから求まる必要係合油圧に加算して補正した油圧とすることができる。
【００６１】
ロックアップクラッチ１１の係合圧が上記の第２所定油圧PLU2に到達することによりステップＳ１１４で肯定的に判断されると、つぎの制御に進むために「phase 」が“３”に設定される（ステップＳ１１５）。ついで、その時点のロックアップクラッチ１１に対する入力トルクが、後述する学習値を得られている領域に入っているか否かが判断される（ステップＳ１１６）。なお、係合圧が第２所定圧PLU2に到達していないことによりステップＳ１１４で否定的に判断された場合には、つぎの制御に進ませないようにするために、ステップＳ１１５を飛ばしてステップＳ１１６に進む。
【００６２】
ここで説明している制御は、ロックアップクラッチ１１の係合圧を伝達トルクに所定の余裕が生じる油圧に制御するためのものであり、そのために先ずはその余裕がゼロの状態を判定する必要があるが、その余裕がゼロの状態に相当する係合圧は、ロックアップクラッチ１１に対する入力トルク毎に異なっている。そこで、伝達トルクについての所定の余裕を与える係合圧が求められた場合には、これを、その時点の入力トルクに対応させて記憶することにより、係合圧の学習をおこなうこととしてある。その学習は、後述するとおりである。したがって、既に学習値から得られている場合には、それを利用することにより不必要な制御を省略できるので、その時点の入力トルクが、学習値の得られているトルク領域に入っているか否かを判断することとしたのである。
【００６３】
したがって、その時点の入力トルクが、学習値の得られているトルク領域に入っていることによりステップＳ１１６で肯定的に判断された場合には、それに応じた制御に進むために「phase 」が“６”に設定され（ステップＳ１１７）、ついでステップＳ１１８に進む。なお、その時点の入力トルクが、学習値の得られているトルク領域に入っていないことによりステップＳ１１６で否定的に判断された場合には、学習値を利用した制御に進めないので、ステップＳ１１６を飛ばしてステップＳ１１８に進む。
【００６４】
このステップＳ１１８およびこれに続くステップＳ１１９は、前述したステップＳ１０９およびそれに続くステップＳ１１０と同様の制御ステップである。すなわち、上記のステップＳ１１６あるいはステップＳ１１７に至る過程で、ロックアップクラッチ１１の係合圧が低下させられ、また入力トルクが変化することもあるので、ロックアップクラッチ１１に滑りが生じたか否かが判断される（ステップＳ１１８）。
【００６５】
そして、ロックアップクラッチ１１の滑りが生じたことによりこのステップＳ１１８で肯定的に判断された場合には、その滑りが意図しないもの（あるいは想定していないもの）であるから、その滑りに対応した制御に進むために「phase 」が“４”に設定され、かつフラグＦ0 が“ＯＮ”に設定される（ステップＳ１１９）。その後、ステップＳ１２０に進む。なお、ロックアップクラッチ１１に滑りが生じないことによりステップＳ１１８で否定的に判断された場合には、ステップＳ１１９を飛ばしてステップＳ１２０に進む。
【００６６】
ステップＳ１２０では、「phase 」が“３”に設定されているか否かが判断される。上述したように、ロックアップクラッチ１１の係合圧を上記の第２所定油圧PLU2に低下させる制御が実行された場合には、「phase 」が“３”に設定されている。その状態で、入力トルクが学習値の得られていない領域であれば、ステップＳ１１７での「phase 」の書き換えがおこなわれず、また意図しない滑りが生じていない場合には、ステップＳ１１９での「phase 」の書き換えがおこなわれないので、「phase 」が“３”になっており、したがってステップＳ１２０で肯定的に判断される。その場合には、ロックアップクラッチ１１の係合圧（油圧）が、所定の低下率（第２スイープ勾配）DLPLU2で低下させられる（ステップＳ１２１）。これは、図７のｔ3 時点からｔ4 時点までの制御である。
【００６７】
この第２スイープ勾配DLPLU2は、前述した第１スイープ勾配DLPLU1より小さい低下率である。すなわち、ロックアップクラッチ１１の係合圧を低下させているので、油圧のわずかな変化でロックアップクラッチ１１に滑りが生じ易く、したがってその滑りが過大にならないようにするために係合圧の低下率を小さく設定したのである。言い換えれば、油圧のアンダーシュートあるいはそれに起因する過大な滑りもしくはロックアップクラッチ１１の解放を回避するためである。
【００６８】
ついで、その時点のロックアップクラッチ１１に対する入力トルクが、後述する学習値を得られている領域に入っているか否かが判断される（ステップＳ１２２）。このステップＳ１２２は、前述したステップＳ１１６と同様の判断ステップであり、係合圧についての学習値が既に得られている場合には、それを利用するためである。
【００６９】
したがってこのステップＳ１２２で肯定的に判断された場合には、学習値を利用した制御に進むために、「phase 」が“６”に設定される（ステップＳ１２３）。ついで、ステップＳ１２４に進む。これとは反対に、ロックアップクラッチ１１に対する入力トルクが学習値の得られていない領域のトルクであれば、「phase 」を書き換えることなく、ステップＳ１２４に進む。
【００７０】
上記のステップＳ１２１による油圧の低下制御は、係合状態にあったロックアップクラッチ１１に滑りを生じさせるための油圧低下制御における最終段階の制御であり、したがってステップＳ１２４では、ロックアップクラッチ１１に滑りが生じたか否かが判断される。この判断は、前述したステップＳ１０９やステップＳ１１８におけるのと同様に、入力側の回転数と出力側の回転数とを比較し、もしくはその回転数差を所定のしきい値と比較することによりおこなうことができる。より具体的には、このステップＳ１２４で検出するロックアップクラッチ１１の滑りは、係合圧を僅かずつ低下させることにより生じる微少な滑りであり、具体的には、ロックアップクラッチ１１の入力側の回転数と出力側の回転数との回転数差が、予め定めた所定回転数（例えば５０ｒｐｍ）以上の状態が、予め定めた所定時間（例えば５０ｍｓ）継続したことによって、ロックアップクラッチ１１の滑りを検出することができる。
【００７１】
ロックアップクラッチ１１に微少滑りが生じることによりステップＳ１２４で肯定的に判断された場合には、つぎの制御に進むために、「phase 」が“４”に設定される（ステップＳ１２５）。そして、ステップＳ１２６に進む。これとは反対にロックアップクラッチ１１に未だ滑りが生じないことによりステップＳ１２４で否定的に判断された場合に、つぎの制御に進めないので、「phase 」を書き換えずに（ステップＳ１２５を飛ばして）、ステップＳ１２６に進む。
【００７２】
このステップＳ１２６では、「phase 」が“４”に設定されているか否かが判断される。ロックアップクラッチ１１の係合圧を上記の第２スイープ勾配DLPLU2で低下させることにより、ロックアップクラッチ１１が想定したとおりに滑りを生じると、ステップＳ１２５で「phase 」が“４”に設定されるので、ステップＳ１２６で肯定的に判断される。
【００７３】
この状態は、ロックアップクラッチ１１の係合圧が、伝達トルクの余裕がゼロの係合圧よりも僅かに下回った状態である。したがってロックアップクラッチ１１の滑りが検出された後に、第３スイープ勾配（油圧の増加率）DLPLU3で係合油圧が増大させられる（ステップＳ１２７）。これは、ロックアップクラッチ１１を微少滑り状態から再係合させるための制御であり、伝達トルクの余裕がゼロの状態で再係合させるために、その第３スイープ勾配DLPLU3は最小の勾配に設定される。すなわち、ロックアップクラッチ１１を係合させる油圧が、極めて僅かずつ昇圧される。これは、図７におけるｔ4 時点からｔ5 時点までの制御である。
【００７４】
ついで、ロックアップクラッチ１１の係合判定が成立したか否か、すなわちロックアップクラッチ１１が係合したか否かが判断される（ステップＳ１２８）。伝達トルクの余裕がゼロであれば、ロックアップクラッチ１１の入力回転数と出力回転数との差がなくなるが、これは、伝達トルクの余裕が過大である場合と同じであるから、伝達トルクの余裕がゼロの状態の再係合を検出することは、必ずしも正確にはおこなえない。そのため、上記の第３スイープ勾配DLPLU3で係合圧を昇圧している状態で、ロックアップクラッチ１１の入力回転数と出力回転数との回転数差が所定値（例えば５０ｒｐｍ）より小さい状態が所定時間（例えば１００ｍｓ）継続した場合に、ロックアップクラッチ１１の再係合の判定が成立する。これは、図７のｔ5 時点である。
【００７５】
こうして「phase4」の制御が終了したことになるので、つぎの制御に進むために、「phase 」が“５”に設定される（ステップＳ１２９）。これに続けて前述したフラグＦ0 が“ＯＮ”か否かが判断される（ステップＳ１３０）。このフラグＦ0 は、前述したように、係合圧の制御の過程で意図しない（もしくは想定しない）ロックアップクラッチ１１の滑りが検出された場合に“ＯＮ”に設定される（ステップＳ１１０，Ｓ１１９）から、ステップＳ１３０では、ロックアップクラッチ１１が意図しない滑りの後に再係合したか否かを判断していることになる。
【００７６】
したがってステップＳ１３０で肯定的に判断された場合には、意図しないロックアップクラッチ１１の滑りに対応した前記「phase3」の制御をおこなうために、「phase 」が“３”に設定され、またフラグＦ0 が“ＯＦＦ”に設定される（ステップＳ１３１）。その後、ステップＳ１３２に進む。なお、ロックアップクラッチ１１が意図した滑りの後に再係合したことによりステップＳ１３０で否定的に判断された場合には、ステップＳ１３１を飛ばしてステップＳ１３２に進む。すなわち「phase 」は“５”に維持される。
【００７７】
ステップＳ１３２では、「phase 」が“５”に設定されているか否かが判断される。上記のように係合圧をゆっくり低下させることによりロックアップクラッチ１１が微少滑りを生じ、その後に係合圧を最小勾配で増大させたことによりロックアップクラッチ１１の再係合の判定が成立すれば、「phase 」が“５”に設定されているので、ステップＳ１３２で肯定的に判断される。すなわち、係合圧の変化に伴うロックアップクラッチ１１の挙動の変化が想定したとおりに変化すると、 「phase5」の制御に進むことになる。
【００７８】
ステップＳ１３２で肯定的に判断されると、ロックアップクラッチ１１の係合油圧が、「phase4」の終了時点（図７のｔ5 時点）における油圧、すなわちロックアップクラッチ１１の再係合が判定された時点の油圧に設定される（ステップＳ１３３）。そして、所定時間が経過したか否かが判断される（ステップＳ１３４）。これは、図７におけるｔ5 時点からｔ6 時点までの間であり、ロックアップクラッチ１１の係合油圧をｔ5 時点の油圧に安定させるための予め定めた時間である。
【００７９】
所定時間が経過することによりステップＳ１３４で肯定的に判断された場合には、つぎの制御に進むために、「phase 」が“６”に設定される（ステップＳ１３５）。そして、油圧学習値が記憶される（ステップＳ１３６）。そして、ステップＳ１３７に進む。
【００８０】
すなわち、ロックアップクラッチ１１を係合状態に維持している油圧からステップ的に低下させて設定した前記第１所定油圧PLU1と、ロックアップクラッチ１１が再係合した際の第３所定油圧PLU3との圧力差DPLU1を、伝達トルクの余裕がゼロの状態での油圧（係合圧）として記憶する。言い換えれば、伝達トルクの余裕がゼロの状態のロックアップクラッチ１１の係合圧を与える学習値DPLU1を記憶する。
【００８１】
なお、この学習値DPLU1は、入力トルクを所定の複数の領域に分割し、各領域毎に記憶し、マップとして保持する。したがって前述したステップＳ１１６やステップＳ１２２での判断は、このようにして得られた学習値の有無に基づく判断である。
【００８２】
また、所定時間が経過していないことによりステップＳ１３４で否定的に判断された場合には、ステップＳ１３５およびステップＳ１３６を飛ばしてステップＳ１３７に進む。したがってこの場合は、「phase 」は書き換えられずに“５”に維持される。
【００８３】
さらに、この時点においても意図しないロックアップクラッチ１１の滑りが生じたか否かが判断される。これがステップＳ１３７の制御である。これは、前述したステップＳ１０９やステップＳ１１８と同様の判断ステップであり、したがってこのステップＳ１３７で肯定的に判断された場合には、その滑りに対応した制御に進むために「phase 」が“４”に設定され、かつフラグＦ0 が“ＯＮ”に設定される（ステップＳ１３８）。その後、ステップＳ１３９に進む。なお、ロックアップクラッチ１１に滑りが生じないことによりステップＳ１３７で否定的に判断された場合には、ステップＳ１３８を飛ばしてステップＳ１３９に進む。
【００８４】
ステップＳ１３９では、「phase 」が“６”に設定されているか否かが判断される。上述したように、ロックアップクラッチ１１の係合油圧を伝達トルクの余裕がゼロの油圧PLU3に維持している状態で学習値が記憶され、かつロックアップクラッチ１１に意図しない滑りが生じていない場合には、「phase 」が“６”に設定されているので、ステップＳ１３９で肯定的に判断される。
【００８５】
その場合には、ロックアップクラッチ１１の係合油圧が、入力トルクに基づいて算出される油圧に、上記の学習値による学習補正を施した油圧に設定される（ステップＳ１４０）。具体的には、上記の「phase1」でステップダウンして設定する第１所定油圧PLU1を現時点の入力トルクに基づいて算出して、これをロックアップクラッチ１１の入力トルクに基づいた油圧とする。ついで、その油圧PLU1から上記の学習値DPLU1を減じて、ロックアップクラッチ１１の伝達トルクに余裕がない油圧（余裕がゼロの油圧）を求める。こうして得られた伝達トルクの余裕がゼロの油圧に、予め定められている所定の余裕油圧DPLU2 を加算して、ロックアップクラッチ１１の油圧が設定される。これは、図７のｔ6 時点での制御である。その余裕油圧DPLU2 は、定常的もしくは準定常的な走行状態でロックアップクラッチ１１に滑りが生じるおそれがなく、また定常的もしくは準定常的な走行状態で作用するトルクを超えるトルクが作用した場合には、ロックアップクラッチ１１に滑りが生じる程度の油圧である。
【００８６】
ロックアップクラッチ１１の係合油圧を上記のように設定している状態でロックアップクラッチ１１に対する入力トルクが変化することがあるので、上記のステップＳ１４０に続けて、入力トルクが未学習領域に入ったか否か、すなわち上記の学習値が得られていない入力トルクに変化したか否かが判断される（ステップＳ１４１）。その時点の状況は、ロックアップクラッチ１１が滑りを生じることなく係合しており、かつその係合圧は伝達トルクの余裕の小さい油圧である。
【００８７】
したがって再度、微少滑りを生じさせて再度学習をおこなうために、「phase2」の制御を実行することになる。すなわち「phase 」が“２”に設定される（ステップＳ１４２）。ついでステップＳ１４３に進む。なお、入力トルクが学習値の得られている領域に入っていることによりステップＳ１４１で肯定的に判断された場合には、「phase 」を変更することなく、直ちにステップＳ１４３に進む。
【００８８】
このステップＳ１４３では、ロックアップクラッチ１１に滑りが生じたか否かが判断される。すなわち定常状態もしくは準定常状態で走行している場合には、駆動トルクあるいは出力側の負トルクの変化が少なく、伝達トルクについての上記の余裕によってロックアップクラッチ１１に滑りが生じないが、その余裕を超えるトルクがロックアップクラッチ１１に加わると、ロックアップクラッチ１１に滑りが生じる。したがってステップＳ１４３でロックアップクラッチ１１の滑りが検出されて、肯定的に判断された場合には、非定常的な走行状態に変化したことになる。
【００８９】
したがってステップＳ１４３で肯定的に判断された場合には、「phase 」が“０”に設定される（ステップＳ１４４）。ついでステップＳ１４５に進む。なお、ロックアップクラッチ１１の滑りが検出されないことによりステップＳ１４３で否定的に判断された場合には、「phase 」を変更することなく、すなわちステップＳ１４４を飛ばしてステップＳ１４５に進む。
【００９０】
「phase0」の制御内容は、図７に示すｔ1 時点以前あるいはｔ7 時点以降の制御内容であり、ロックアップクラッチ１１の係合圧および無段変速機構１の挟圧力について、通常の制御が実施される。具体的には、ロックアップクラッチ１１の係合圧および無段変速機構１の挟圧力を高くし、エンジントルクの変化や出力側の負トルクの変化によってはこれらロックアップクラッチ１１および無段変速機構１に滑りが生じない状態である。
【００９１】
そして、ステップＳ１４５では、「phase 」が“６”に設定されているか否かが判断される。上記のように「phase6」は、ロックアップクラッチ１１の伝達トルクに所定の余裕を与える係合油圧が安定的に設定されている状態であり、これは、図７のｔ6 時点からｔ7 時点までの状態である。
【００９２】
したがって「phase 」が“６”に設定されていることによりステップＳ１４５で肯定的に判断された場合には、無段変速機構１のベルト挟圧力が、伝達トルクに所定の余裕を与える圧力に低下させられる（ステップＳ１４６）。その挟圧力は、図７に示すように、伝達トルクの余裕がゼロの圧力に、予め定めた所定値を加えた圧力である。なお、こうして設定される無段変速機構１での伝達トルクの余裕は、ロックアップクラッチ１１における伝達トルクの余裕より大きく、したがって駆動トルクや負トルクなどが変化した場合には、ロックアップクラッチ１１が無段変速機構１に先行して滑りを生じる。
【００９３】
したがって上記の制御をおこなうこの発明の制御装置によれば、ロックアップクラッチ１１の伝達トルクの余裕がゼロとなる係合圧力を求め、その圧力に、伝達トルクに所定の余裕を与えるいわゆる余裕圧力を加えて、ロックアップクラッチ１１の係合圧力を設定するので、それ以降にロックアップクラッチ１１の係合圧を滑りが生じるまで低下制御することがない。そのため、ロックアップクラッチ１１の滑りが繰り返し生じたり、それに伴って駆動系統の動力の伝達効率が低下して燃費が悪化するなどの事態を未然に回避することができる。
【００９４】
また、ロックアップクラッチ１１の伝達トルクの余裕がゼロの状態を検出もしくは判定し、これに余裕圧力を加えるから、ロックアップクラッチ１１の係合圧が過大になることがなく、その結果、ロックアップクラッチ１１の伝達トルクの余裕を無段変速機構１での余裕に対して確実に小さく設定できる。さらに、その伝達トルクの余裕がゼロとなる係合油圧を学習制御によって求めるので、ロックアップクラッチ１１やその油圧制御機器などに個体差や経時変化があっても、これらに影響されずに、伝達トルクに所定の余裕が生じる係合圧を安定して設定することができる。
【００９５】
さらにまた、定常的あるいは準定常的な走行状態でエンジントルクや駆動輪側の負トルクが急激に変化した場合には、ロックアップクラッチ１１が無段変速機構１に先行して滑りを生じるので、無段変速機構１に滑りが生じることを確実に防止することができる。そして、そのような無段変速機構１の滑りを防止しつつ、その挟圧力を可及的に低くすることができるので、無段変速機構１での動力の伝達効率を向上させて、燃費を改善することができる。
【００９６】
以上説明した一連の制御は、前述した学習値の得られていない入力トルクがロックアップクラッチ１１に作用している状態での制御である。そのため、ロックアップクラッチ１１に微少滑りが生じるまで、その係合圧を複数段階に分けて低下させ、その後、係合圧を昇圧してロックアップクラッチ１１を再係合させる上記の各種の制御を実行した。これに対して学習値が既に得られている場合には、以下のように制御される。
【００９７】
すなわち入力トルクが学習値の得られている領域に入っていると、図２に示すステップＳ１１６で肯定的に判断され、「phase 」が“６”に設定される（ステップＳ１１７）。この判断は、「phase1」において係合圧を第１所定油圧PLU1にステップ的に低下させた後、「phase2」で第１スイープ勾配DLPLU1で係合圧を低下させている途中で実行される。
【００９８】
上記のステップＳ１１７で「phase 」が“６”に設定された場合、「phase 」を判断するステップＳ１２０、ステップＳ１２６、ステップＳ１３２のいずれでも否定的に判断される。そのため、直ちにステップＳ１３９に進み、ここで肯定的に判断される。このステップＳ１３９以降の制御は、既に説明したとおりである。
【００９９】
したがって学習値が既に得られている場合には、入力トルクに基づく第１所定油圧PLU1を設定する「phase1」の制御が実行された後、直ちに学習値DPLU1で補正した係合圧に低下させられる（ステップＳ１４０）。その場合、設定するべき係合油圧が、ロックアップクラッチ１１の滑りが生じる係合油圧に近いので、油圧のアンダーシュートによるロックアップクラッチ１１の解放もしくは過剰な滑りを防止するために、なまし制御を施して係合油圧の低下制御が実行される。
【０１００】
このように学習値が得られている場合には、その学習値を利用してロックアップクラッチ１１の係合圧を低下制御できるので、上述した「phase2」ないし「phase5」の制御を省略して迅速な制御が可能になる。
【０１０１】
また、上述した一連の制御の過程で入力トルクが変化し、その結果、入力トルクが学習値の得られている領域から学習値の得られていない領域に入ったり、その反対に学習値の得られていない領域から学習値の得られている領域に入る場合がある。前者の場合には、学習値を利用した制御をできないので、学習をおこなう必要があり、また後者の場合には、学習値を得るための制御が不要になるとともに、学習値を利用した制御が可能になる。
【０１０２】
具体的に説明すると、学習値が得られているトルク領域から学習値の得られていないトルク領域に、ロックアップクラッチ１１の入力トルクが変化した場合、上述したステップＳ１１６で否定的に判断され、あるいはステップＳ１２２で否定的に判断される。したがって伝達トルクの余裕がゼロの係合油圧に所定の余裕油圧を加えた係合油圧に設定する以前に、入力トルクが学習値の得られていないトルク領域に変化した場合には、「phase1」ないし「phase6」の一連の制御が前述した順に実行される。
【０１０３】
これに対して、ロックアップクラッチ１１の伝達トルクに所定の余裕を生じさせる係合油圧を設定した後に、入力トルクが学習値の得られていないトルク領域に変化すると、前記ステップＳ１４１で肯定的に判断される。それに伴って「phase 」が“２”に設定されるので、「phase2」の制御が実行される。これは、図２に示すステップＳ１１２で肯定的に判断された場合の制御であり、ロックアップクラッチ１１に微少滑りが生じるように係合圧を第１スイープ勾配DLPLU1で低下させるとともに、第２所定油圧PLU2に達した後は、第２スイープ勾配DLPU2で係合圧を低下させ、その結果、ロックアップクラッチ１１の微少滑りが検出された後に、第３スイープ勾配DLPLU3で昇圧し、再係合が検出された後に、その時点の油圧に所定油圧を加えた係合圧が設定される。これは、前述した一例の制御のステップＳ１１２以降の制御である。
【０１０４】
一方、入力トルクが学習値の得られていないトルク領域から学習値の得られているトルク領域に変化した場合の例として、前記第１所定油圧PLU1にステップダウンした後（「phase1」の制御が完了した後）、ロックアップクラッチ１１の入力トルクが、学習値の得られているトルク領域に入ると、図１に示す上記のステップＳ１１６で肯定的に判断される。この場合の制御は、上記の学習値が得られている場合と同様であって、直ちにステップＳ１３９に進んで、ロックアップクラッチ１１の伝達トルクに所定の余裕を与える学習値に基づく係合油圧の設定が実行される（ステップＳ１４０）。
【０１０５】
また、第２所定油圧PLU2まで係合圧を低下させた後に、入力トルクが学習値の得られているトルク領域に変化すると、図３に示すステップＳ１２２で肯定的に判断される。その結果、「phase 」が“６”に設定されるので、直ちにステップＳ１３９に進んで、学習値に基づいて、伝達トルクに所定の余裕が生じるように係合圧が設定される。
【０１０６】
なお、ロックアップクラッチ１１の微少滑りが検出された後は、前述した一連の制御の順に従って各制御が実行される。すなわち、前述した一連の制御と変わるところはない。
【０１０７】
このようにこの発明に係る上記の制御装置では、入力トルクがいわゆる既学習領域と未学習領域との間で変化した場合、係合圧の制御の進行状態に応じて、その後の制御が選択される。そのため、上述した係合圧の学習をおこなうことができると同時に、必要としない無駄な制御を省略することができる。
【０１０８】
ところで、ロックアップクラッチ１１の係合油圧を、伝達トルクに所定の余裕が生じるように制御する上記の一連の過程の中で、係合油圧の低下や入力トルクの変化などに起因してロックアップクラッチ１１の滑りが生じることがある。これは、例えばステップＳ１０９、ステップＳ１１８、ステップＳ１２４、ステップＳ１３７、ステップＳ１４３で検出される。
【０１０９】
したがって係合圧を第２所定油圧PLU2まで低下させる過程、あるいはその第２所定圧PLU2になっている状態でロックアップクラッチ１１に滑りが生じると、ステップＳ１０９もしくはステップＳ１１８で肯定的に判断される。これらいずれの場合であっても、「phase 」が“４”に設定され、またフラグＦ0 が“ＯＮ”に制御される（ステップＳ１１０、ステップＳ１１９）。その結果、図４に示すステップＳ１２６に進んでこれ以降の制御が順に実行され、係合圧がゆっくり昇圧される。
【０１１０】
その結果、一旦、滑りの生じたロックアップクラッチ１１が再係合する（ステップＳ１２８）が、この場合、フラグＦ0 が“ＯＮ”に設定されているので、「phase 」が“３”に設定され（ステップＳ１３０、ステップＳ１３１）、したがって制御は「phase3」に戻る。そのため、図５に示すステップＳ１３５に至らないので、学習がおこなわれない。これが学習の禁止に相当する。
【０１１１】
このように、制御の過程で意図しないロックアップクラッチ１１の滑りが生じた場合には、ロックアップクラッチ１１を係合状態に戻し、再度、係合圧の低下、微少滑りの検出、昇圧などの上述した一連の制御が実行される。また、同時に伝達トルクの余裕がゼロとなる係合圧の学習、あるいはこれを含めた伝達トルクに所定の余裕が生じる係合圧の学習が禁止される。
【０１１２】
また、第２所定油圧PLU2から低下させている場合にロックアップクラッチ１１の滑りが生じた場合、図３に示すステップＳ１２４で肯定的に判断される。これは、意図した滑りであるから、「phase 」を“４”に設定し（ステップＳ１２５」、その後、前述した一連の制御が実行される。すなわち上記の一連の制御と変わるところはない。
【０１１３】
さらに、ロックアップクラッチ１１が再係合した後に意図しない滑りが生じた場合には、ステップＳ１３７で肯定的に判断される。この場合は、「phase 」が“４”に設定され、またフラグＦ0 が“ＯＮ”に制御される（ステップＳ１３８）ので、図４に示すステップＳ１２６に進んでこれ以降の制御が順に実行され、係合圧がゆっくり昇圧される。これは、上述した例と同様である。
【０１１４】
そして、伝達トルクに所定の余裕を生じさせるように係合圧を設定した後にロックアップクラッチ１１の滑りが生じると、ステップＳ１４３で肯定的に判断され、「phase 」が“０”に設定される（ステップＳ１４４）。すなわち、車両の走行状態が非定常状態になったものとして、制御を終了する。この場合は、再度ステップＳ１０１から始めことになる。
【０１１５】
このように、上記の制御では、ロックアップクラッチ１１の滑りが意図せずに生じた場合には、その時点の制御の状況に応じて次におこなうべき制御を選択するので、ロックアップクラッチ１１が過剰に滑ったり、あるいは不必要な制御を繰り返すなどの不都合を回避することができる。
【０１１６】
なお、制御の前提条件が成立したいないことによりステップＳ１０１で否定的に判断された場合、および制御終了条件が成立していることによりステップＳ１０４で肯定的に判断された場合には、「phase 」が“０”に設定される（ステップＳ１１１）。これは、図６に示すステップＳ１４４と同じであり、したがってロックアップクラッチ１１の係合圧および無段変速機構１の挟圧力が、通常の走行状態で設定される相対的に高い圧力に制御される。そして、ステップＳ１４５に進むが、「phase 」が“０”に設定されているために、ステップＳ１４５では否定的に判断されて、制御が終了する。
【０１１７】
また、図１ないし図６に示すフローチャートにおいて、「phase 」についての判断ステップＳ１０５，Ｓ１１２，Ｓ１２０，Ｓ１２６，Ｓ１３２，Ｓ１３９で否定的に判断された場合には、その判断がおこなわれたステップ以降の「phase 」についての判断ステップに順に進む。そして、「phase 」についての最終の判断ステップＳ１４５で否定的に判断された場合には、図１ないし図６に示すルーチンから抜ける。
【０１１８】
ここで、上記の具体例とこの発明の関係を簡単に説明すると、ステップＳ１０６，Ｓ１１３，Ｓ１２１の各機能的手段が、この発明の係合圧低下手段に相当し、ステップＳ１２７の機構的手段が、この発明の再係合手段に相当し、ステップＳ１４０の機能的手段が、この発明の係合圧設定手段に相当する。また、ステップＳ１３３，Ｓ１３６の各機能的手段が、この発明の学習手段に相当し、ステップＳ１４０で学習値を利用した係合圧の制御をなまし処理を施して実行する機能的手段が、この発明の「なまし処理を施して前記係合圧を低下させる手段」に相当する。
【０１１９】
なおここで、上記の具体例として開示してあるこの発明の他の態様を例示すれば、以下のとおりである。
【０１２０】
請求項１に記載されている発明において、クラッチの伝達トルクに所定の余裕を生じさせる係合圧を設定する以前では、無段変速機構の挟圧力を滑りの生じない高い圧力に維持し、クラッチの伝達トルクに所定の余裕を生じさせる係合圧が設定された後に無段変速機構の挟圧力を、伝達トルクに所定の余裕が生じる圧力に低下させる手段を備えている制御装置とすることができる。これは、図７に示すｔ6 時点までベルト挟圧力を高く維持することに対応している。
【０１２１】
請求項１に記載されている発明において、クラッチの伝達トルクに所定の余裕が生じる係合圧に設定している状態で、クラッチに滑りが生じた場合には、クラッチに滑りが生じない係合圧に昇圧し、かつ無段変速機構の挟圧力を滑りの生じない圧力に昇圧する手段を備えている制御装置とすることができる。これは、前述したステップＳ１４４の制御に対応している。
【０１２２】
請求項２に記載されている発明において、最初に低下させて設定する係合圧を、クラッチの入力トルクから算出したクラッチの特性のばらつきを考慮してもクラッチに滑りが生じない油圧に設定するよう構成した制御装置とすることができる。これは、ステップＳ１０６に対応している。
【０１２３】
請求項２に記載された発明において、係合圧を複数段階で低下させる過程で第２番目に設定される係合圧を、通常の走行時にクラッチをオフからオンに切り替える際に設定される係合圧とするように構成した制御装置とすることができる。
【０１２４】
請求項２に記載された発明において、係合圧を低下させる過程で、第１の所定値に所定時間維持した後、所定のスイープ勾配で係合圧を低下させるように構成した制御装置とすることができる。これは、上記の「phase1」ないし「phase3」の制御に相当し、こうすることにより油圧応答性が向上し、また油圧のアンダーシュートを回避することができる。
【０１２５】
請求項１に記載された発明において、クラッチの再係合の判定は、入力側の回転数と出力側の回転数との差が所定値以下に低下している状態が、所定時間継続したことをもっておこなうように構成した制御装置とすることができる。これは、ステップＳ１２８の制御に対応し、こうすることにより伝達トルクの余裕がゼロの状態を確実に検出もしくは判定することができる。
【０１２６】
請求項１に記載された発明において、クラッチの伝達トルクに所定の余裕を生じさせる係合圧を、クラッチの入力トルクに基づいて求める手段を備えた構成の制御装置とすることができる。
【０１２７】
あるいは請求項１に記載された発明において、クラッチの伝達トルクに所定の余裕を生じさせる係合圧を、クラッチを再係合させた際の油圧に基づいて求める手段を備えた構成の制御装置とすることができる。その場合、再係合時のイナーシャトルクに対応する油圧分、低い油圧を設定することができる。
【０１２８】
請求項１に記載された発明において、定常走行中であることを制御開始条件とするように構成した制御装置とすることができる。その場合、アクセル開度が所定時間継続して所定値以内であることによって、定常状態であることを判定するように構成することができる。また、入力トルクから算出した無段変速機構の出力側のトルクが所定時間の間、継続して所定値以内になっていることをもって定常状態と判定するように構成することができる。これは、ステップＳ１０２に対応するものである。
【０１２９】
なお、車両の定常走行状態は、車両の基準加速度が所定範囲内であること、あるいは路面勾配が所定範囲内であることによって判定するように構成してもよい。路面勾配が大きいことにより入力トルクが大きい場合に、伝達トルクに所定の余裕を与える係合圧の制御を禁止し、その結果、クラッチの滑りをより確実に防止することができる。
【０１３０】
そして、この発明は、上述した具体例に限定されないのであって、この発明のクラッチは、上記のロックアップクラッチ以外に、車両の発進の際に次第に係合させられるいわゆる発進クラッチであってもよく、またその配列は、要は、トルクの伝達方向で無段変速機構と直列であればよく、したがって無段変速機構の入力側と出力側とのいずれであってもよい。さらに、無段変速機構はベルト式のものに限られず、トロイダル型（トラクション式）のものであってもよい。そしてまた、係合圧を低下させる場合、上記の具体例におけるように三段階に分けて低下させる以外に二段階に低下させてもよく、要は、複数段階に分けていればよい。
【０１３１】
【発明の効果】
以上説明したように、請求項１の発明によれば、伝達トルクに所定の余裕を持たせてクラッチの滑りが生じない状態が設定されると、その後に係合圧が低下させられることがないので、クラッチの滑りを繰り返し生じさせることがなく、そのため動力の伝達効率の悪化やクラッチの耐久性の低下などの不都合を未然に回避することができる。
【０１３２】
また、請求項２の発明によれば、係合状態にあるクラッチの係合圧を低下させる場合、低下開始時の低下率に対して、それ以降における係合圧の低下率が大きくなるため、クラッチに滑りを生じさせる係合圧の低下制御の応答性を向上させることができ、また係合圧低下のいわゆるアンダーシュートを回避してクラッチが過剰に滑ることを防止でき、さらにクラッチのいわゆる解放ショックを防止もしくは抑制することができる。
【０１３３】
さらに、請求項３の発明によれば、クラッチに滑りが生じるようにその係合圧を低下させる過程で設定される係合圧が、無段変速機構の入力トルクに基づいた係合圧となるため、無段変速機構の伝達トルクを定める挟圧力が何らかの理由で高くなっている場合、それに応じてクラッチの係合圧が高く設定され、その結果、係合圧を低下させる過程でクラッチに滑りを生じさせずに、所期の係合圧の低下制御を迅速に進行させることができる。
【０１３４】
またさらに、請求項４の発明によれば、クラッチに滑りを生じさせるように係合圧を低下させる過程で、クラッチの滑りに到る最終段階の低下制御の直前に設定される係合圧が、クラッチの低下制御を伴わない通常の係合制御の際の係合圧に基づいて補正されるため、その係合圧を実際に必要とするクラッチの係合圧に近づけることができ、その結果、クラッチを滑らせない範囲で迅速に係合圧を低下させることができる。
【０１３５】
そして、請求項５の発明によれば、クラッチの伝達トルクに余裕がない係合圧が明確にされた後、その係合圧に余裕分の所定値を加えた係合圧でクラッチが係合させられるため、クラッチの伝達トルクにおける余裕代を適正化することができる。
【０１３６】
また、請求項６の発明によれば、クラッチの伝達トルクに所定の余裕を与える係合圧が学習に基づいて求められるため、その係合圧は、クラッチの個体差や経時変化などの実際の状態を反映したものとなり、それに伴ってクラッチの伝達トルクの余裕代を適正化することができる。
【０１３７】
さらにまた、請求項７の発明によれば、低下させて設定するべきクラッチの係合圧が学習値として知られており、係合状態のクラッチの係合圧をその学習により得られた値に低下させる場合、急激に低下させずになまし処理された制御により緩やかに低下させるので、係合圧のアンダーシュートやそれに起因するクラッチの解放などの事態を未然に回避することができる。
【０１３８】
そしてさらに、請求項８の発明によれば、係合状態のクラッチの係合圧を低下させて滑りを生じさせる過程、滑りの生じたクラッチの係合圧を昇圧する過程、クラッチを再係合させた状態などにおいて、駆動系統の運転状態が学習値の得られている状態と得られていない状態との間で変化した場合、その時点の係合圧の制御状態に基づいて次の制御内容が決定されるため、学習値の得られている運転状態に変化した場合には、その学習値を利用した係合圧の制御が可能になり、無駄な制御を省略して迅速かつ容易な制御をおこなうことができる。また反対に学習値が得られていない運転状態に変化した場合には、学習値を得ることができる。
【０１３９】
そして、請求項９の発明によれば、クラッチの係合圧を、伝達トルクに所定の余裕がある係合圧に制御している過程でクラッチの滑りが生じた場合、クラッチを再係合させるように係合圧が昇圧され、かつ係合圧の学習が禁止されるため、クラッチの過剰な滑りを回避できると同時に、係合圧の誤学習を回避することができる。
【図面の簡単な説明】
【図１】  この発明の制御装置による制御の一例を説明するためのフローチャートの一部を示す図である。
【図２】  この発明の制御装置による制御の一例を説明するためのフローチャートの図１に続く部分を示す図である。
【図３】  この発明の制御装置による制御の一例を説明するためのフローチャートの図２に続く部分を示す図である。
【図４】  この発明の制御装置による制御の一例を説明するためのフローチャートの図３に続く部分を示す図である。
【図５】  この発明の制御装置による制御の一例を説明するためのフローチャートの図４に続く部分を示す図である。
【図６】  この発明の制御装置による制御の一例を説明するためのフローチャートの図５に続く部分を示す図である。
【図７】  この発明による制御を実行した場合のロックアップクラッチの入力側および出力側の回転数の変化、ロックアップクラッチの係合油圧の変化、ベルト挟圧力の変化を示すタイムチャートである。
【図８】  この発明に係る無段変速機構を含む駆動系統を模式的に示す図である。
【符号の説明】
１…無段変速機構、  ３…トルクコンバータ、  ４…エンジン（動力源）、  １１…ロックアップクラッチ、  １９…駆動プーリー、  ２０…従動プーリー、２３…ベルト、  ２６…駆動輪、  ３１…変速機用電子制御装置（ＣＶＴ−ＥＣＵ）。
【図１】
0004126916.tif 000002
【図２】
0004126916.tif 000003
【図３】
0004126916.tif 000004
【図４】
0004126916.tif 000005
【図５】
0004126916.tif 000006
【図６】
0004126916.tif 000007
【図７】
0004126916.tif 000008
【図８】
0004126916.tif 000009